(57)【要約】      （修正有）【課題】身頃及びズボン脚部がユーザーの体形に対して変化することができる、同一の伸縮性生地を縫製して形成するズボンを提供する。【解決手段】同一の生地で縫製されたズボンであって、ユーザの脚部を被覆するズボン脚部１１とユーザのウエストを囲む身頃１２とを有し、身頃１２は一身頃接合部１２１及び身頃１２内に設置してユーザのウエストに沿って延在する収容スペースを含み、収容スペースはそれぞれ身頃接合部１２１の両側で互いに相対する二つの末端を有し、伸縮性生地を縫製して形成するズボン本体１を有している。収容スペース内に弾性バンド１３を有しており、それぞれ収容スペースにあるつの二末端に対応してズボン本体１に縫製する縫いしろ１３１を有し、弾性バンド１３と身頃接合部１２１とを合わせた長さは身頃１２の長さに等しい。【選択図】図２
0003188779.tif 000002
【実用新案登録請求の範囲】
【請求項１】
ズボン本体と、
弾性バンドと、
を備え、
前記ズボン本体は、ユーザの脚部を被覆するズボン脚部とユーザのウエストを囲む身頃とを有し、伸縮性生地を縫製して形成され、
前記身頃は、身頃接合部及び前記身頃内に形成されてユーザのウエストに沿って延在する収容スペースを含み、
前記収容スペースは、それぞれ前記身頃接合部の両側で互いに相対する二つの末端を有し、
前記弾性バンドは、前記収容スペースの前記二つの末端にそれぞれ対応して前記ズボン本体に縫合される縫いしろを有し、前記身頃接合部と合わせた長さが前記身頃の長さに等しい
ことを特徴とする、同一の生地で縫製されたズボン。
【請求項２】
前記弾性バンドの幅は、前記収容スペースの幅と等しく、又は前記収容スペースの幅より小さいことを特徴とする請求項１に記載の同一の生地で縫製されたズボン。
【請求項３】
前記弾性バンドは、それぞれユーザの二つ脇腹部に対応して設けられ、前記ズボン本体に縫合される二つの脇腹縫いしろを有することを特徴とする請求項１に記載の同一の生地で縫製されたズボン。
【請求項４】
前記弾性バンドは、少なくともユーザの後身頃に対応して設けられ、前記ズボン本体に縫合される後身頃縫いしろを有することを特徴とする請求項１に記載の同一の生地で縫製されたズボン。
【請求項５】
前記弾性バンドは、一定の間隔で前記身頃に対応して設けられ、前記ズボン本体に縫合される複数の固定縫いしろを有することを特徴とする請求項１に記載の同一の生地で縫製されたズボン。
【考案の詳細な説明】
【技術分野】
【０００１】
本考案は衣服、特に同一の生地で縫製されたズボンに関するものである。
【背景技術】
【０００２】
現在、人々の着こなしに対する変化に伴い、ボディーラインを強調する、体にフィットしたカッティングデザインが流行している。しかし、食文化及び食習慣の変化に伴い、現在の人々は過剰に摂食して肥満になり易くなっており、そのなかでも肥満であることを最も表し易いのがウエストである。即ち、現在の人々のウエストの変化量は明らかに大きいため、元々着衣できた衣服が円滑に着用できず、束縛感が生じている。さらに上述の問題が最も顕著になっているのがスーツである。この問題を解決するため、先行技術、例えば米国特許第ＵＳ６，２３７，１６０、ＵＳ２，０５９，１０３号並びに台湾実用新案第Ｍ４５０２３９、Ｍ２９９４８３号において、弾性バンドによって上述の問題を解決することが掲示されている。上述の先行技術によってユーザのウエストの変化の問題は解決したものの、弾性バンドの実施でスーツの身頃に皺が発生し、スーツが本来の用途ではないカジュアル或いはスポーティー衣類のようになってしまっている。そのうち、台湾実用新案第Ｍ４５０２３９号は、確かにユーザのウエストに対応する後身頃に弾性バンドを設置し、ヒップのラインを修整し、ユーザのウエストに合わせて形を変化させ、ウエストの変化に適合しているが、該弾性バンドの形の変化で引張した際、ズボン本体の生地は前身頃に集中して皺が生じ、体にフィットした適切な視覚効果を生じることはできない。上述の特許で掲示する衣類が体にフィットした適切な視覚効果を生じない原因は、異なる材質で裁縫しているからである。
【考案の概要】
【考案が解決しようとする課題】
【０００３】
本考案の主な目的は、従来のズボンが異なる材質で裁縫されているため、たとえユーザのウエストに合わせて形を変化させていたとしても体にフィットした適切な視覚効果が生じないという問題を解決することにある。
【課題を解決するための手段】
【０００４】
上述の目的を達成するため、本考案のズボンは、同一の生地で縫製されたズボンであって、ズボン本体と、弾性バンドとを備えている。前記ズボン本体は、ユーザの脚部を被覆するズボン脚部とユーザのウエストを囲む身頃とを有し、伸縮性生地を縫製して形成される。前記身頃は、身頃接合部及び前記身頃内に形成されてユーザのウエストに沿って延在する収容スペースを含む。前記収容スペースは、それぞれ前記身頃接合部の両側で互いに相対する二つの末端を有する。前記弾性バンドは、前記収容スペースの前記二つの末端にそれぞれ対応して前記ズボン本体に縫合される縫いしろを有する。前記弾性バンドと前記身頃接合部と合わせた長さは前記身頃の長さに等しい。
【０００５】
本考案の一実施例において、前記弾性バンドの幅は、前記収容スペースの幅と等しく、又は前記収容スペースの幅より小さい。
【０００６】
本考案の一実施例において、前記弾性バンドは、それぞれユーザの二つの脇腹部に対応して設置され、前記ズボン本体に縫合される二つの脇腹縫いしろを有している。
【０００７】
本考案の一実施例において、前記弾性バンドは、少なくともユーザの後身頃に対応して設置され、前記ズボン本体に縫合される後身頃縫いしろを有している。
【０００８】
本考案の一実施例において、前記弾性バンドは、一定の間隔で前記身頃に対応して設置され、前記ズボン本体に縫合される複数の固定縫いしろを有している。
【考案の効果】
【０００９】
本考案が上述で掲示する衣類形成を従来のものと比較すると、以下のような特徴を有している。
【００１０】
第一に、本考案は、身頃にある収容スペース内に弾性バンドを設置しており、弾性バンドが有する弾性によって身頃はユーザのウエストに合わせて伸縮を行うことで、従来のズボンがユーザのウエストに合わせて変化することができず、ユーザの体形に変化が生じた場合、ズボンがはけなくなるという問題を解決している。
【００１１】
第二に、本考案に係る弾性バンドの弾性指数はズボン本体を縫製した伸縮性生地と同一で、且つ弾性バンドと身頃接合部とを合わせた長さは身頃の長さに等しいため、たとえ身頃が通常の状態或いはユーザの身体によってウエストを変化したとしても、身頃の形は依然整っており、従来のズボンが該ユーザのウエストに合わせて変化することで、身頃の形が崩れ、体にフィットしないという問題を解決している。
【００１２】
第三に、本考案は伸縮性生地のような同一の生地で縫製して形成しているため、身頃及びズボン脚部には等価の変形が生じ、ズボン全体が体にフィットして形が整っているという視覚効果を呈している。
【図面の簡単な説明】
【００１３】
【図１】本考案に係る同一の生地で縫製するズボンの一実施例を示した実施模式図である。
【図２】本考案に係る同一の生地で縫製するズボンの一実施例を示した構成模式図である。
【図３】本考案に係る同一の生地で縫製するズボンの一実施例を示した断面模式図である。
【図４】本考案に係る同一の生地で縫製するズボンのその他の一実施例を示した構造模式図である。
【考案を実施するための形態】
【００１４】
図面を参照しつつ、本考案の詳細な説明及び技術内容を以下のとおりに説明する。
【００１５】
本考案は、同一の生地で縫製すたズボンである。図１乃至図３を参照すると、本考案に係るズボンは、少なくとも伸縮性生地を縫製して形成するズボン本体１を含んでおり、ズボン本体１はユーザ２の脚部を被覆するズボン脚部１１と、ユーザ２のウエストを囲む身頃１２を有している。具体的に言うと、本考案に係るズボン本体１は、同一の生地である伸縮性生地を縫製してズボン脚部１１及び身頃１２を形成している。身頃１２は、身頃接合部１２１及び身頃１２内に形成された収容スペース１２２を含んでいる。収容スペース１２２は、ユーザ２のウエストに沿って延在する。収容スペース１２２は、それぞれ身頃接合部１２１の両側で互いに相対する二つの末端１２３、即ちボタン或いはファスナーを有している。収容スペース１２２は、ズボン本体１を縫製して身頃１２を形成する際、伸縮性生地の一部を折り返し縫製して形成したものである。また、本考案に係るズボンは、ズボン本体１の収容スペース１２２内に、弾性バンド１３を備えている。弾性バンド１３は、それぞれ収容スペース１２２にある二つの末端１２３に対応してズボン本体１に縫合される縫いしろ１３１を有している。つまり、本考案に係る弾性バンド１３の両端には、それぞれ収容スペース１２２の二つの末端１２３と縫合される縫いしろ１３１が形成されている。身頃１２の形の変化でズボン自体の視覚効果が変化しないようにするため、本考案に係る弾性バンド１３は、その弾性指数を伸縮性生地の弾性指数と等しくし、且つその長さと身頃接合部１２１の長さとの合計が身頃１２の長さに等しくなるように形成する。即ち、弾性バンド１３と身頃接合部１２１とを合わせた長さは身頃１２の長さであって、ユーザ２がズボンを購入する際のウエストのサイズである。これにより、弾性バンド１３は、ユーザ２の着用によって変形が生じた場合、伸縮性生地の変化量と等量だけ変化するので、体にフィットした形の整った視覚効果を生じている。なお、弾性バンド１３と伸縮性生地との弾性指数の差異比率は０〜５％とすることができる。
【００１６】
上述のとおり、本考案に係る弾性バンド１３は収容スペース１２２に設けられているが、実際は二つの縫いしろ１３１のみがズボン本体１と縫合されており、即ち、弾性バンド１３は収容スペース１２２内で移動が可能であって、弾性バンド１３の幅は収容スペース１２２の幅と等しく、又は収容スペースの幅より小さい。また、本考案に係る弾性バンド１３は、縫いしろ１３１がズボン本体１に縫合される以外に、ユーザ２の後身頃に対応して設けられ、ズボン本体１に縫合される後身頃縫いしろ１３２（図４を参照）を有することもできる。また、ユーザ２の二つ脇腹部に対応してそれぞれ脇腹縫いしろ１３３を設け、ズボン本体１に縫合することができる。上述の実施方法のほかに、さらに弾性バンド１３は一定の間隔で身頃１２に対応して設けられ、ズボン本体１に縫合される複数の固定縫いしろを有してよく、即ち該弾性バンド１３は一定の間隔にある固定縫いしろを収容スペース１２２に固定することができる。
【００１７】
以上のことから、本考案は同一の生地で縫製されたズボンであって、ズボン本体と、弾性バンドとを備えている。ズボン本体は、ユーザの脚部を被覆するズボン脚部とユーザのウエストを囲む身頃とを有し、伸縮性生地を縫製して形成される。身頃は、身頃接合部及び身頃内に形成されてユーザのウエストに沿って延在する収容スペースを含む。収容スペースは、それぞれ身頃接合部の両側で互いに相対する二つの末端を有する。弾性バンドは、収容スペースの二つの末端にそれぞれ対応してズボン本体に縫合される縫いしろを有する。弾性バンドと前記身頃接合部と合わせた長さは前記身頃の長さに等しい。弾性バンドの弾性指数は、ズボン本体を縫製した伸縮性生地と同一である。このことから、本考案は同じ伸縮性生地を縫製して形成するズボンであって、身頃及びズボン脚部は同時にユーザの体形に対して変化することができ、ユーザのウエストに合わせて変化することができる。
【００１８】
本考案は、カジュアルパンツ、ジーンズ及びビジネスパンツ等のズボンに応用できる。
【符号の説明】
【００１９】
１            ズボン本体
１１          ズボン脚部
１２          身頃
１２１        身頃接合部
１２２        収容スペース
１２３        末端
１３          弾性バンド
１３１        縫いしろ
１３２        後身頃縫いしろ
１３３        脇腹身頃縫いしろ
２            ユーザ
【図１】
0003188779.tif 000003
【図２】
0003188779.tif 000004
【図３】
0003188779.tif 000005
【図４】
0003188779.tif 000006